(57)【要約】      （修正有）【課題】水田などの貯水域に必要な水位を効率よく調整でき、優れた排水効率を有するとともに、かなりの水圧負荷にも耐え得る貯水域用水位調整枡を提供する。【解決手段】本考案の貯水域用水位調整枡１は、上方が開口し下方が底面１１により閉口して側壁１０が曲面を為す全体が略円筒状の枠体２で構成され、枠体２の内部には、取水室２ａと排水室２ｂとを仕切る高さ調整可能な水位調整板３０が設けられ、枠体２の取水室２ａ側の側壁１０には、貯水域から貯水を取り入れるための取水口１２が開口部２２を有する堰板２０によって開閉自在に設けられ、枠体２の排水室２ｂ側の側壁１０若しくは底面１１には、枠体２内に流入した貯水を排水するための排水口１４が設けられている構成となっている。【選択図】図１
0003202897.tif 000002
【実用新案登録請求の範囲】
【請求項１】
上方が開口し下方が底面により閉口して側壁が曲面を為す全体が略円筒状の枠体で構成され、
枠体の内部には、取水室と排水室とを仕切る高さ調整可能な水位調製板が設けられ、
枠体の取水室側の側壁には、貯水域から貯水を取り入れるための取水口が開口部を有する堰板によって開閉自在に設けられ、
枠体の排水室側の側壁若しくは底面には、枠体内に流入した貯水を排水するための排水口が設けられていることを特徴とする貯水域用水位調整枡。
【請求項２】
前記堰板の開口部に、網状部材が取り付けられていることを特徴とする請求項１に記載の貯水域用水位調整枡。
【請求項３】
前記取水口の両側側壁に、該取水口へ貯水を誘導するための誘導板が設けられていることを特徴とする請求項１又は２に記載の貯水域用水位調整枡。
【請求項４】
前記水位調製板に、取水室と排水室とを連通させるための連通口が仕切板によって開閉自在に設けられていることを特徴とする請求項１から３のいずれかに記載の貯水域用水位調整枡。
【請求項５】
前記底面が、枠体よりも幅広に形成されて成ることを特徴とする請求項１から４のいずれかに記載の貯水域用水位調整枡。
【考案の詳細な説明】
【技術分野】
【０００１】
本考案は、貯水域の水位を調整するための水位調整枡に関するものである。
【背景技術】
【０００２】
通常、水田などの貯水域では、河川等から取り入れた灌漑用水のうち、過剰な灌漑用水を排水することで、必要な水位となるように調整されている。
【０００３】
このように貯水域の水位を調整するための技術として、特許文献１では、水田に必要な水位を確保するための水位調整板を箱体の一側面に開閉自在に設け、水田に不要な水を隣接水田に排水するための排水具を、上述した一側面の対向面となる箱体の側面に設けた水位調整排水具が提案されている。
【０００４】
この特許文献１に記載の水位調整排水具では、水位調整板の開閉度を調整して、水位調整排水具の内部に取り入れる灌漑用水の流量を制御することで、水田の水位を調整するように構成されている。
【０００５】
ところが、この特許文献１に記載の水位調整排水具では、その内部に取り入れられた灌漑用水がそのまま排水具に排水される構成となっているため、灌漑用水に含まれる塵等の浮遊物や土壌成分等の沈殿物が排水具の内部で堆積して、排水効率が低下しやすいという不具合があった。
【０００６】
そこで、このような不具合を解消するために、特許文献２では、排水枡をなす箱体の一側面に、水田から灌漑用水を取り入れるための落水ゲートと、落水ゲートの開閉度を調整可能な堰板とを設けるとともに、排水枡をなす箱体内部の、落水ゲートよりもやや下方の位置に、灌漑用水に含まれる塵等の浮遊物を除去する除塵体を設け、さらに、排水枡をなす箱体の底面に排水口を設け、この排水口に落水ゲートよりもやや低い高さの越流筒を箱体の内部側に突出するように設けることが提案されている。
【０００７】
この特許文献２に記載の排水枡では、堰板により落水ゲートの開閉度を調整して、排水枡の内部に取り入れる灌漑用水の流量を制御することで、水田の水位を調整するように構成されている。
【０００８】
また、この特許文献２に記載の排水枡では、落水ゲートから取り入れられた灌漑用水が、除塵体を通過した後、越流筒の高さまで排水枡内に溜まり、越流筒の高さよりも水位が上がると、越流筒の上部開口面から排水されるように構成されている。よって、灌漑用水に含まれる塵等の浮遊物は、除塵体を通過する際に除去され、灌漑用水に含まれる土壌成分等の沈殿物は、灌漑用水が越流筒の高さまで溜まるまでの間に排水枡の底面に沈殿されるため、浮遊物や沈殿物を含まない状態で灌漑用水を排水できるようになっている。
【０００９】
しかしながら、上述した特許文献２に記載の排水枡においては、排水枡の内部に取り入れ、排水口から排水する灌漑用水の流量を、落水ゲートに設けられた堰板の開閉度だけで制御しているため、水田に必要な水位を効率よく調整し、排水効率を向上させるという点でさらなる改善の余地があった。
【００１０】
また、上述した特許文献２に記載の排水枡においては、落水ゲートから排水枡の内部に取り入れた灌漑用水が越流筒の高さまで溜まる間に、灌漑用水に含まれる土壌成分を沈殿物として排水枡の底面に沈殿させるように構成されているため、排水口の近傍で沈殿した沈殿物が灌漑用水とともに排水されてしまう場合がある。
【００１１】
さらに、上述した特許文献２に記載の排水枡においては、落水ゲートから取り入れられる灌漑用水の流量が多いと、土壌成分が完全に沈殿しないうちに越流筒の上部開口面まで灌漑用水が溜まりやすいため、灌漑用水が土壌成分を含んだ状態で越流筒から排水されてしまう場合がある。
すなわち、上述した特許文献２に記載の排水枡においても、灌漑用水に含まれる土壌成分の排水管内部への堆積を完全に防止することはできないため、排水効率を向上させるという点でさらなる改善の余地があった。
【００１２】
そこで本出願人は、かつて特許文献３に係る水田用水位調整枡の技術提案を行っている。この特許文献３に記載の水田用水位調整枡は、全体を箱体で構成し、その箱体の一側面には、水田から灌漑用水を取り入れる取り入れ口を設け、その箱体の一側面に対向する側面には、箱体の内部から灌漑用水を排水する排水口を設け、その箱体の内部には、取り入れ口を含む取り入れ室と排水口を含む排水室とを仕切る水位調製板を設け、取り入れ口を、網状部材が取り付けられた開口部を有する堰板によって開閉自在に構成されるとともに、水位調整板の高さが調整自在となるよう構成されている。
【００１３】
かかる特許文献３の技術提案によれば、水位調整板の高さを自由に調整することで、水田に必要な水位を効率よく調整できるとともに、優れた排水効率を得ることが可能であって、一定の効果を発揮し得るものであった。しかしながら、全体が平板状の側面壁で囲まれた箱体構造を採用していることから、取り入れ口側の側面壁にかなりの水圧負荷が伴うことで、経時的に水田用水位調整枡の位置ズレや側面壁の歪みが生じることがあった。
【先行技術文献】
【特許文献】
【００１４】
【特許文献１】特開２００５−２４５４２６号公報
【特許文献２】特開平１１−９１２２号公報
【特許文献３】登録実用新案第３１２５６５４号公報
【考案の開示】
【考案が解決しようとする課題】
【００１５】
そこで、本考案は、上記事情に鑑みてなされたものであり、水田などの貯水域に必要な水位を効率よく調整でき、優れた排水効率を有するとともに、かなりの水圧負荷にも耐え得る貯水域用水位調整枡を提供することを課題としている。
【課題を解決するための手段】
【００１６】
このような課題を解決するために、本考案に係る貯水域用水位調整枡は、 上方が開口し下方が底面により閉口して側壁が曲面を為す全体が略円筒状の枠体で構成され、枠体の内部には、取水室と排水室とを仕切る高さ調整可能な水位調製板が設けられ、枠体の取水室側の側壁には、貯水域から貯水を取り入れるための取水口が開口部を有する堰板によって開閉自在に設けられ、枠体の排水室側の側壁若しくは底面には、枠体内に流入した貯水を排水するための排水口が設けられた構成となっている。
【００１７】
すなわち、本考案に係る貯水域用水位調整枡は、取水口に開口部が位置するように堰板を移動させて取水口を開放することで、貯水域の貯水が枠体内に取り入れられるとともに、取り入れられた貯水は、まず、取水室の内部に溜まり、水位調整板の高さ以上に溜まると、水位調整板を乗り越えて排水室に流出し、その後、排水口から排水されるように構成されている。
【００１８】
また、本考案に係る貯水域用水位調整枡は、前記堰板の開口部に、網状部材が取り付けられている構成を採用し得る。
【００１９】
さらに、本考案に係る貯水域用水位調整枡は、前記取水口の両側側壁に、該取水口へ貯水を誘導するための誘導板が設けられている構成を採用し得る。
【００２０】
またさらに、本考案に係る貯水域用水位調整枡は、前記水位調製板に、取水室と排水室とを連通させるための連通口が仕切板によって開閉自在に設けられている構成を採用し得る。
【００２１】
さらにまた、本考案に係る貯水域用水位調整枡は、前記底面が、枠体よりも幅広に形成された構成を採用し得る。
【考案の効果】
【００２２】
本考案に係る貯水域用水位調整枡によれば、取水口から取り入れ、排水口から排水する貯水の流量を、取水口に設けられた堰板と、取水室及び排水室を仕切る水位調整板との二箇所で制御することができるため、水田などの貯水域に必要な水位を効率よく調整することが可能となる。
【００２３】
また、本考案に係る貯水域用水位調整枡によれば、枠体に設けられた取水口が、貯水域の深さ方向下方に位置するように設置されることにより、塵等の浮遊物がほとんど存在しない深部の貯水を取り入れることが可能となる。
【００２４】
さらに、本考案に係る貯水域用水位調整枡によれば、取水口を含む取水室と排水口を含む排水室との間を仕切る水位調整板を設けたことにより、取水室の内部に溜められた貯水が、水位調整板の高さ以上に溜まり、水位調整板を乗り越えて排水室に流入するまでの間に、貯水に含まれる土壌成分などを沈殿物として除去することができる。よって、本考案に係る貯水域用水位調整枡によれば、取り入れられる貯水の流量が多い場合であっても、土壌成分が確実に除去された貯水を排水することが可能となるため、上述した特許文献２に記載の排水枡と比べて、優れた排水効率を得ることができる。
【００２５】
また、本考案に係る貯水域用水位調整枡によれば、水位調整板の高さを調整自在としたことにより、取水口から取り入れ排水口から排出する貯水の流量に合わせて水位調整板の高さを調整することで、貯水に含まれる土壌成分などを効率よく沈殿させ、綺麗な貯水を効率よく排水することができる。
【００２６】
さらに、本考案に係る貯水域用水位調整枡によれば、側壁が曲面を為す全体が略円筒状の枠体で構成されていることで、取水口側の側壁に大きな水圧負荷がかかったとしても、経時的に水田用水位調整枡の位置ズレや側壁の歪みが生じることなく、かなりの水圧負荷にも耐えることができる。
【００２７】
また、本考案に係る貯水域用水位調整枡によれば、堰板の開口部に網状部材が取り付けられた構成を採用することで、貯水が開口部を通過する際に、貯水に含まれる塵等の浮遊物を除去することができるため、取水口の設置位置に係らず、塵等の浮遊物が存在しない貯水を枠体の内部に取り入れることが可能となる。
【００２８】
さらに、本考案に係る貯水域用水位調整枡によれば、取水口の両側側壁に該取水口へ貯水を誘導するための誘導板が設けられた構成を採用することで、貯水の枠体内への流入に際し、貯水域に存する貯水が効率的に取水口へ誘導されることとなる。
【００２９】
また、本考案に係る貯水域用水位調整枡によれば、水位調製板に取水室と排水室とを連通させるための連通口が仕切板によって開閉自在に設けられた構成を採用することで、取水室内に溜まった貯水の排水室側への完全排水が可能となる。
【００３０】
さらに、本考案に係る貯水域用水位調整枡によれば、底面が枠体よりも幅広に形成された構成を採用することで、設置安定性の向上に資することとなる。
【図面の簡単な説明】
【００３１】
【図１】本考案に係る貯水域用水位調整枡の実施形態を示す全体斜視図である。
【図２】本考案に係る貯水域用水位調整枡の動作態様を示す説明断面図である。
【図３】本考案に係る貯水域用水位調整枡の使用態様を示す説明断面図である。
【考案を実施するための形態】
【００３２】
本考案に係る貯水域用水位調整枡１は、上方が開口し下方が底面１１により閉口して側壁１０が曲面を為す全体が略円筒状の枠体２で構成され、枠体２の内部には、取水室２ａと排水室２ｂとを仕切る高さ調整可能な水位調製板が設けられ、枠体２の取水室２ａ側の側壁１０には、貯水域Ｓから貯水Ｗを取り入れるための取水口１２が開口部２２を有する堰板２０によって開閉自在に設けられ、枠体２の排水室２ｂ側の側壁１０若しくは底面１１には、枠体２内に流入した貯水Ｗを排水するための排水口１４が設けられたことを最大の特徴とする。
以下、本考案に係る貯水域用水位調整枡１の実施形態を、図面を参照しながら説明する。
【００３３】
なお、本考案に係る貯水域用水位調整枡１は、以下に説明する実施形態に限定されるものではなく、本考案の技術的思想の範囲内、即ち、同一の作用効果を発揮できる形状や寸法等の範囲内で適宜変更することができるものである。
【００３４】
図１は、本考案に係る貯水域用水位調整枡１の実施形態を示す全体斜視図であり、図２は、該貯水域用水位調整枡１の動作態様を示す説明断面図である。
本考案に係る貯水域用水位調整枡１は、図1に示すように、上方が開口し、下方が底面１１により閉口して、側壁１０が曲面を為し、全体が略円筒状となった枠体２で構成されている。
【００３５】
貯水域用水位調整枡１を為す枠体２の内部には、取水室２ａと排水室２ｂとを仕切る水位調製板が設けられている。該水位調製板は、平面視において枠体２を略均等に二分する位置に配置されており、高さ調整が可能な構造となっている。高さ調整を可能にする水位調製板の構造としては、底面１１から所要高さを有して固定的に配置された略矩形状の平板から成る固定板３１と、上下方向にスライド可能であって最上位置までスライドした場合であっても固定板３１と少なくとも一部下端領域が重複する略矩形状の平板から成るスライド板３２と、の二枚板構造を採用する。
【００３６】
スライド板３２をスライド可能にする具体的構造は、側壁１０の内周面に平面視略コ字状でスライド板３２の厚みと略同一寸法の挟持部を有して高さ方向に延伸するガイドレール１６が設けられ、スライド板３２の両側部がガイドレール１６で挟まれた状態で支持されることで、ガイドレール１６に沿ってスライド板３２が上下方向にスライド可能となっている。
【００３７】
なお、スライド板３２は、上下にスライドした任意の高さ位置にて任意の係止手段により固定される構造となっている。また、スライド板３２の上端部には、該スライド板３２を上下方向に移動する際に用いる把持部３６が形成されていることが望ましい。
【００３８】
ここで、図２（ａ）に示すように、スライド板３２を上方へスライドすることで、水位調整板３０の上端部の位置を高く設定することができ、逆にスライド板３２を下方へスライドすることで、水位調整板３０の上端部の位置を低く設定することができる。この水位調整板３０の上端部の高さ位置は、取水室２ａから排水室２ｂへ貯水Ｗを流入させる際の越えるべき高さを意味し、水位調整板３０の上端部の高さ位置を上下に調整可能とすることで、必要に応じて取水室２ａに溜める貯水量や排水室２ｂへの貯水Ｗの流入量を調整することができる。
【００３９】
ところで、水位調製板には、図１に示すように、取水室２ａと排水室２ｂとを連通させるための連通口３４が設けられた構成とすることが可能である。該連通口３４は、水位調製板のうち固定板３１に設けられ、仕切板４０によって開閉自在となっている。
【００４０】
仕切板４０は、略矩形状の平板から成り、固定板３１に沿って上下方向にスライド可能な構造となっており、具体的には、固定板３１に平面視略コ字状で仕切板４０の厚みと略同一寸法の挟持部を有して高さ方向に延伸するガイドレール３８が設けられ、仕切板４０の両側部がガイドレール３８で挟まれた状態で支持されることで、ガイドレール３８に沿って仕切板４０が上下方向にスライド可能となっている。
【００４１】
なお、仕切板４０は、上下にスライドした任意の高さ位置にて任意の係止手段により固定される構造となっている。また、仕切板４０の上端部には、該仕切板４０を上下方向に移動する際に用いる把持部４６が形成されていることが望ましい。
【００４２】
ここで、図２（ｂ）に示すように、仕切板４０を上方へスライドすることで、連通口３４が開いて取水室２ａと排水室２ｂとが連通し、取水室２ａ内の貯水Ｗを排水室２ｂへ流入させることができ、一方、仕切板４０を下方へスライドすることで、連通口３４が該仕切板４０によって塞がれて取水室２ａと排水室２ｂとが仕切られ、排水室２ｂへの貯水Ｗの流入をストップさせることができる。
【００４３】
枠体２の取水室２ａ側の側壁１０には、貯水域Ｓから貯水Ｗを取り入れるための略矩形状の取水口１２が設けられ、また、枠体２の排水室２ｂ側の側壁１０若しくは底面１１には、枠体２内に流入した貯水Ｗを排水するための排水口１４が設けられている。
【００４４】
取水口１２は、開口部２２を有する堰板２０によって開閉自在となっている。すなわち、堰板２０は、枠体２の側壁１０外周面に沿って上下方向にスライド可能な構造となっており、具体的には、側壁１０の外周面に平面視略コ字状で堰板２０の厚みと略同一寸法の挟持部を有して高さ方向に延伸するガイドレール１８が設けられ、堰板２０の両側部がガイドレール１８で挟まれた状態で支持されることで、ガイドレール１８に沿って堰板２０が上下方向にスライド可能となっている。
【００４５】
堰板２０は、略矩形状の平板で側壁１０に沿うように曲面を為す構造となっており、その一部には略矩形状の開口部２２が設けられ、この開口部２２には網状部材２４が取り付けられている。
【００４６】
なお、堰板２０は、上下にスライドした任意の高さ位置にて任意の係止手段により固定される構造となっている。また、堰板２０の上端部には、該堰板２０を上下方向に移動する際に用いる把持部２６が形成されていることが望ましい。
【００４７】
ここで、図２（ｃ）に示すように、開口部２２と取水口１２とが重なるように堰板２０をスライドすることで、取水口１２が開いて枠体２の内部に貯水域Ｓの貯水Ｗを流入させることができ、一方、開口部２２以外の部分を取水口１２と重なるように堰板２０をスライドすることで、取水口１２が塞がれて枠体２内への貯水Ｗの流入をストップさせることができる。
【００４８】
側壁１０における取水口１２の両側には、図１に示すように、該取水口１２へ貯水Ｗを誘導するための誘導板１５を設ける態様が考え得る。該誘導板１５は、略矩形状の平板で、側壁１０の外周面において高さ方向に延伸する状態で設けられる。
【００４９】
排水口１４は、枠体２の排水室２ｂ側の側壁１０若しくは底面１１のいずれに設けてもよく、少なくともいずれか一方、若しくは、図面に示すように、両方に設ける態様が考え得る。なお、取水口１２から取り入れられた貯水Ｗの排水効率をより向上させることに鑑み、取水口１２と対向する側壁１０に排水口１４を設けることが好ましい。また、側壁１０に排水口１４を設ける場合には、排水性を考慮し、可能な限り下方位置に設けることが望ましい。
【００５０】
ところで、本考案に係る貯水域用水位調整枡１の底面１１について、図1に示すように、枠体２よりも幅広に形成された構成とすることが考え得る。かかる構成を採用することで、貯水域用水位調整枡１を地中に埋設した際に、枠体２内に流入した貯水Ｗの重量や自重による下方への沈下を抑制し、設置安定性の向上に資することとなる。
【００５１】
以下、上記構成から成る貯水域用水位調整枡１の使用態様について、図３を参照しながら説明する。
図３は、本考案に係る貯水域用水位調整枡１の使用態様を示す説明断面図である。
【００５２】
まず、上述した構成の貯水域用水位調整枡１の取水口１２が塞がれるように堰板２０を位置させた状態で、取水口１２が貯水域Ｓの端部に接し且つ貯水域Ｓの深さ方向下方に位置するように、貯水域用水位調整枡１が埋設・設置される。
【００５３】
次に、貯水域用水位調整枡１の堰板２０を上方にスライドさせて、堰板２０に設けられた開口部２２を取水口１２と重なる位置で固定する。
【００５４】
これにより取水口１２が開き、貯水域Ｓに存する貯水Ｗが、取水口１２を介して貯水域用水位調整枡１の枠体２内部に流入し、この貯水Ｗは、まず図３（ａ）に示すように、取水室２ａの内部で水位調整板３０の高さまで溜められる。
【００５５】
次に、取水室２ａの内部で溜められた貯水Ｗの水位が水位調整板３０の高さまで至ると、図３（ｂ）に示すように、貯水Ｗが水位調整板３０を乗り越えて排水室２ｂへ流入し、図３（ｃ）に示すように、排水室２ｂから排水口１４を介して外部へ排水されるようになっている。
【００５６】
ここで、本考案に係る貯水域用水位調整枡１において、取水口１２から取り入れ、排出口から排出する貯水Ｗの流量を調整し、排水効率を向上させるためには、開口部２２と取水口１２とが重なる部分の面積を調整すればよい。
例えば、貯水域用水位調整枡１の枠体２内部に流入する貯水Ｗの流量を多くしたい場合には、開口部２２を全て取水口１２と重なるように堰板２０をスライド調整すればよいし、一方、流入する貯水Ｗの流量を少なくする場合には、開口部２２の一部のみを取水口１２と重なるように堰板２０をスライド調整すればよい。
【００５７】
また、取水口１２から取り入れ、排出口から排出する貯水Ｗの流量を調整し、排水効率を向上させるためには、取水室２ａと排水室２ｂとの間を仕切る水位調整板３０の高さを調整すればよい。
例えば、貯水域用水位調整枡１の枠体２内部に流入する貯水Ｗの流量が多い場合には、貯水Ｗに含まれる土壌成分を確実に沈殿させるまで時間がかかるため、水位調整板３０の高さを高くして、貯水Ｗが取水室２ａの内部で留まる時間を長くすることが好ましい。一方、貯水Ｗの流量が少ない場合には、貯水Ｗに含まれる土壌成分を確実に沈殿させる時間が少なくて済むため、水位調整板３０の高さを低くして、貯水Ｗが取水室２ａの内部で留まる時間を短くすることも可能である。 
【００５８】
ところで、取水室２ａ内に溜まった貯水Ｗを完全に排水する場合や、降雨後の増水などにより貯水域Ｓに存する貯水Ｗを急速に排水する必要がある場合には、図３（ｄ）に示すように、水位調整板３０に設けられた連通口３４を開放する態様が可能である。連通口３４は、通常、仕切板４０によって塞がれているため、連通口３４を開放するためには、仕切板４０を上方にスライドさせて連通口３４が開放された位置で固定することとなる。
【００５９】
これにより、取水室２ａに溜まった貯水Ｗは、水位調製板を乗り越えることなく、連通口３４を介して即時に排水室２ｂへと流入され、取水室２ａ内に溜まった貯水Ｗの排水室２ｂ側への完全排水及び急速排水が可能となる。
【００６０】
本考案に係る貯水域用水位調整枡１によれば、取水口１２から流入され、排水口１４から排水される貯水Ｗの流量を、堰板２０と水位調整板３０との少なくとも二箇所で制御することができるため、貯水域Ｓに必要な水位を効率よく調整することができる。
【００６１】
また、本考案に係る貯水域用水位調整枡１によれば、その取水口１２が貯水域Ｓの深さ方向下方に位置するように設置されることにより、塵等の浮遊物Ｄがほとんど存在しない深部の貯水Ｗを貯水域用水位調整枡１の枠体２内部に取り入れることができる。
【００６２】
さらにまた、本考案に係る貯水域用水位調整枡１によれば、堰板２０に設けられた開口部２２に網状部材２４を取り付けたことにより、貯水Ｗが開口部２２を通過する際に、貯水Ｗに含まれる塵等の浮遊物Ｄを網状部材２４で予め除去することができる。よって、貯水Ｗは、浮遊物Ｄを含まない状態で貯水域用水位調整枡１に流入されるため、同様に浮遊物Ｄを含まない状態で貯水Ｗを排水することができる。
【００６３】
なお、本実施形態の貯水域用水位調整枡１においては、側壁１０に設けられる取水口１２や堰板２０に設けられる開口部２２、水位調整板３０の固定板３１に設けられる連通口３４を略矩形状に形成した場合について説明したが、取水口１２や開口部２２、連通口３４の形状はこれに限らず、例えば、略円形状や楕円形状としてもよい。
【００６４】
さらに、本考案に係る貯水域用水位調整枡１においては、図示してはいないが、取水室２ａや排水室２ｂの内部に蓄積された沈殿物を効率よく除去するために、取水室２ａや排水室２ｂの内部に、水抜きが可能であって把持部が取り付けられた沈殿物用受け皿を設置するようにしてもよい。
【産業上の利用可能性】
【００６５】
本考案は、「考案の効果」記載の通り、多くの優れた効果を実現可能とするものである。したがって、本考案に係る「貯水域用水位調整枡」の産業上の利用可能性は大であると思料する。
【符号の説明】
【００６６】
１    貯水域用水位調整枡
２    枠体
２ａ  取水室
２ｂ  排水室
１０    側壁
１１    底面
１２    取水口
１４    排水口
１５    誘導板
１６，１８，３８    ガイドレール
２０    堰板
２２    開口部
２４    網状部材
２６，３６，４６    把持部
３０    水位調整板
３１    固定板
３２    スライド板
３４    連通口
４０    仕切板
Ｄ    浮遊物
Ｓ    貯水域
Ｗ    貯水
【図１】
0003202897.tif 000003
【図２】
0003202897.tif 000004
【図３】
0003202897.tif 000005